(57)【特許請求の範囲】
【請求項１】
背もたれ部の左右両側部に体側施療部がステイを介して前記背もたれ部に連結固定してあるマッサージ機であって、
前記体側施療部は、その内側面に重合配置した複数の体側用エアバッグを備え、
前記背もたれ部を構成する背もたれ板の前記体側施療部の側をなす端部に立ち上り部を設けるとともに、
前記立ち上り部に、前記ステイを配設するための切欠部を形成し、
前記体側用エアバッグを膨張させて使用者の体側を押圧したときに、前記体側施療部が受ける反力が前記ステイを介して前記背もたれ板にかかるように、当該各体側施療部を前記背もたれ部に連結固定したことを特徴とするマッサージ機。
【請求項２】
前記ステイは、前記体側施療部を連結する体側施療部取付部と、当該前記体側施療部取付部と直交する面からなる背もたれ部伸延部とを備え、当該背もたれ部伸延部と前記背もたれ板とを連結したことを特徴とする請求項１記載のマッサージ機。
【請求項３】
前記ステイを略Ｌ字状に形成し、その一方側を前記体側施療部取付部とし、他方側を前記背もたれ部伸延部とするとともに、当該背もたれ部伸延部を、前記背もたれ板の背面に当接させて連結したことを特徴とする請求項２記載のマッサージ機。
【請求項４】
鋼製のアングル材からなる左右の縦フレームに背もたれ板を取付けて前記背もたれ部を構成し、前記縦フレームに、揉み玉を具備する機械式マッサージユニットを昇降自在に配設する一方、各縦フレームと前記体側施療部の内側部との間には所定の間隔を設けたことを特徴とする請求項１〜３のいずれか１項に記載のマッサージ機。
【請求項５】
前記立ち上り部は、前記背もたれ板の左右端部にそれぞれ一体に形成されていることを特徴とする請求項１〜４のいずれか１項に記載のマッサージ機。
【請求項６】
前記ステイは、前記体側用エアバックと給排気用ホースとを連結する連結口を備えることを特徴とする請求項１〜５のいずれか１項に記載のマッサージ機。
【請求項７】
前記背もたれ部を、使用者が腰掛け可能な座部の後部に倒伏自在に取付けるとともに、前記座部の左右両側に肘掛部を設け、さらに、両肘掛部の手摺体の少なくとも後半部を、前記背もたれ部の倒伏動作に伴う体側施療部の最下端部の軌跡と略同一の弧状に形成し、しかも、前記手摺体と体側施療部とが当接しないように構成したことを特徴とする請求項１〜６のいずれか１項に記載のマッサージ機。
【発明の詳細な説明】
【技術分野】
【０００１】
本発明はマッサージ機に関し、特に、背もたれ部を設けた椅子式マッサージに関するものである。
【背景技術】
【０００２】
従来、マッサージ機として、背もたれ部を設けた椅子型のマッサージ機があり、例えば、背もたれ部に揉み玉やエアバッグ等の施療手段を設けて、同施療手段により使用者の背中をマッサージする構成のものが広く知られており、使用者が背もたれ部に背中をもたれかけるとともに、その背中に対して施療手段を前後動させて圧力をかけることにより、使用者の背中に揉みやたたきと同様の刺激を与えてマッサージを行っていた。
【０００３】
また、かかる椅子式マッサージ機において、前記背もたれ部の両側部に、前方へ突出した左右一対の突起体を設け、これら突起体の内側にエアバッグを設け、背中の両側をマッサージ可能としたものがあった（例えば、特許文献２を参照。）。
【特許文献１】特開２０００−３２５４１６号公報
【発明の開示】
【発明が解決しようとする課題】
【０００４】
しかし、背中の両側をマッサージ可能とした上記特許文献１に開示された従来のマッサージ機においては、前記突起体が背もたれ部の前面左右に突設されていた。
【０００５】
したがって、突起体の内側面に配設したエアバッグを膨張させて体側施療部として機能させ、使用者の身体を両側から挟み込むように押圧した場合、その反力は突起体が外側に開く方向に加わることになり、上述したような背もたれ部の前面に突設したような取付構造では強度的に不安であり、その耐久性に問題があった。
【０００６】
また、椅子式マッサージ機では、座部の左右側には肘掛部が設けられており、前記背もたれ部はリクライニング可能な構成が一般的なので、背もたれ部を起立したときと横臥させたときとで前記突起体と肘掛部とが干渉しない様する必要があるなど、前記突起体と肘掛部との位置関係も考慮しなければならないが、上記特許文献１には両者の関係については一切開示されていない。
【０００７】
このように、従来では身体の体側部を施療する体側施療部をマッサージ機に設けるという概念は存在するにしても、具体的に体側施療部としての機能を十分に発揮させるための構成は全く提案されていない。
【０００８】
本発明は上記課題を解決することのできるマッサージ機を提供することを目的としている。
【課題を解決するための手段】
【０００９】
そこで、請求項１記載の本発明では、背もたれ部の左右両側部に体側施療部がステイを介して前記背もたれ部に連結固定してあるマッサージ機であって、前記体側施療部は、その内側面に重合配置した複数の体側用エアバッグを備え、前記背もたれ部を構成する背もたれ板の前記体側施療部の側をなす端部に立ち上り部を設けるとともに、前記立ち上り部に、前記ステイを配設するための切欠部を形成し、前記体側用エアバッグを膨張させて使用者の体側を押圧したときに、前記体側施療部が受ける反力が前記ステイを介して前記背もたれ板にかかるように、当該各体側施療部を前記背もたれ部に連結固定した。
【００１０】
請求項２記載の本発明では、請求項１記載のマッサージ機において、前記ステイは、前記体側施療部を連結する体側施療部取付部と、当該前記体側施療部取付部と直交する面からなる背もたれ部伸延部とを備え、当該背もたれ部伸延部と前記背もたれ板とを連結したことを特徴とする。
【００１１】
請求項３記載の本発明では、請求項２記載のマッサージ機において、前記ステイを略Ｌ字状に形成し、その一方側を前記体側施療部取付部とし、他方側を前記背もたれ部伸延部とするとともに、当該背もたれ部伸延部を、前記背もたれ板の背面に当接させて連結したことを特徴とする。
【００１２】
請求項４記載の本発明では、請求項１〜３のいずれか１項に記載のマッサージ機において、鋼製のアングル材からなる左右の縦フレームに背もたれ板を取付けて前記背もたれ部を構成し、前記縦フレームに、揉み玉を具備する機械式マッサージユニットを昇降自在に配設する一方、各縦フレームと前記体側施療部の内側部との間には所定の間隔を設けたことを特徴とする。
【００１３】
請求項５記載の本発明では、請求項１〜４のいずれか１項に記載のマッサージ機において、前記立ち上り部は、前記背もたれ板の左右端部にそれぞれ一体に形成されていることを特徴とする。
【００１４】
請求項６記載の本発明では、請求項１〜５のいずれか１項に記載のマッサージ機において、前記ステイは、前記体側用エアバックと給排気用ホースとを連結する連結口を備えることを特徴とする。
【００１５】
請求項７記載の本発明では、請求項１〜６のいずれか１項に記載のマッサージ機において、前記背もたれ部を、使用者が腰掛け可能な座部の後部に倒伏自在に取付けるとともに、前記座部の左右両側に肘掛部を設け、さらに、両肘掛部の手摺体の少なくとも後半部を、前記背もたれ部の倒伏動作に伴う体側施療部の最下端部の軌跡と略同一の弧状に形成し、しかも、前記手摺体と体側施療部とが当接しないように構成したことを特徴とする。
【発明の効果】
【００１７】
本発明では、左右の体側施療部間の空間を大きくとることができ、従前通りの背もたれ部を用いながら使用者がどのような体格のものでもゆったりと肩部分を含む身体両側部のマッサージが行える。しかも、重合配置した体側部用エアバッグを同時に膨出させると使用者の身体に素早くフィットして身体の体側をマッサージあるいは押圧保持することができる。また、ステイを介して、体側施療部が受ける反力は背もたれ部側で受けることになるが、背もたれ部には使用者の体重がかかるので、その反力がステイと背もたれ部との連結固定部に強くかかることがなく、連結部や背もたれ部がダメージを受けることを可及的に防止できる。
【００１８】
また、ステイを略Ｌ字状に形成し、その一方側を体側施療部取付部とし、他方側を背もたれ部伸延部とするとともに、当該背もたれ部伸延部を、背もたれ部を構成する背もたれ板の背面に当接させて連結すれば、体側施療部で被施療者の身体両側を挟持するように押圧しても、その反力を背もたれ部で受けることになって、体側施療部の取付け部分に不具合などが生じるおそれがなく、体側施療部の耐久性も十分なものとすることができ、体側施療部としての機能を十分発揮させることができる。
【００１９】
また、鋼製のアングル材からなる左右の縦フレームに背もたれ板を取付けて前記背もたれ部を構成し、前記縦フレームに、揉み玉を具備する機械式マッサージユニットを昇降自在に配設する一方、各縦フレームと前記体側施療部の内側部との間には所定の間隔を設けると、前記体側施療部が開く方向に力が加わってもステイが撓むだけの間隔が前記縦フレームとの間にあるので受けた力を逃がすことができる。したがって、縦フレームが変形するおそれがないので昇降動作に支障をきたしたり、昇降中に異音が発生したりすることを防止できる。
【００２１】
また、背もたれ板の左右端部にそれぞれ立ち上り部を一体に形成して前記背もたれ部の左右側端面を形成すれば、強度アップするため、背もたれ板を樹脂板などで形成してマッサージ機全体の軽量化、さらにはコストダウンを図ることが可能となる。
【００２３】
また、前記体側施療部は、重合配置した複数のエアバッグを備える構成とすれば、使用者の体側部をソフトでありながら十分な力でマッサージすることができるとともに、例えば背もたれ部に他の施療体を設けた場合、前記エアバッグで身体を左右から保持し、身体が逃げることのない状態で前記他の施療体により背中部を効果的にマッサージすることができる。また、前記エアバッグを重合配置したことにより、各エアバッグをそれぞれ膨出させた場合、使用者の身体に素早くエアバッグをフィットさせることができる。また、エアバッグの数を複数としたことにより、エアバッグの全体膨出量を大きくすることができるので、体格の大きい人から小さい人にまでエアバッグをフィットさせることができる。
【００２４】
また、前記背もたれ部を、使用者が腰掛け可能な座部の後部に倒伏自在に取付けるとともに、前記座部の左右両側に肘掛部を設け、さらに、両肘掛部の手摺体の少なくとも後半部を、前記背もたれ部の倒伏動作に伴う体側施療部の最下端部の軌跡と略同一の弧状に形成し、しかも、前記手摺体と体側施療部とが当接しないように構成すれば、椅子式マッサージ機としての価値を高めることができる。すなわち、背もたれ部を立てた場合と倒した場合とのいずれであっても肘掛部と体側施療部とが干渉することがなく、また、いずれの場合でも使用者は前記手摺体に手を乗せることができるなど、肘掛部を利用することができ、楽な姿勢でマッサージが行える。さらに、体側施療部に注目すると、その下端部が肘掛部と当接しないぎりぎりの位置まで下げることが可能で、その分前記エアバッグも下方まで配置することが可能となり、体側部における被施療部領域を拡大することができる。
【発明を実施するための最良の形態】
【００２５】
以下、本実施の形態では、本発明を座部と背もたれ部とを備える椅子式マッサージとして説明する。なお、前記背もたれ部には、揉み玉などを備えた機械式のマッサージユニットを昇降自在に配設するとともに、このユニットの左右側にはエア式マッサージを行うことのできるエアバッグを設けている。
【００２６】
かかるマッサージ機において、本発明に係るマッサージ機では、背もたれ部の左右両側部に体側施療部をそれぞれ配設するとともに、各体側施療部を、前記背もたれ部を構成する背もたれ板の背面側で固定している。
【００２７】
かかる構成とすることにより、体側施療部で被施療者の身体両側を挟持するように押圧しても、その反力を背もたれ部で受けることになって、体側施療部の取付け部分に不具合などが生じるおそれがなく、体側施療部の耐久性も十分なものとなっている。
【００２８】
前記体側施療部には、機械式の施療体を設けてもよいが、重合配置した複数のエアバッグを備える構成とすることが好ましい。かかる構成により、使用者の体側部をソフトでありながら十分な力でマッサージすることができるとともに、このエアバッグで身体を左右から保持し、身体が逃げることのない状態で背もたれ部に設けた前記マッサージユニットにより背中部を効果的にマッサージすることができるようになる。また、前記エアバッグを重合配置したことにより、各エアバッグをそれぞれ膨出させた場合、使用者の身体に素早くエアバッグをフィットさせることができる。また、エアバッグの数を複数としたことにより、エアバッグの全体膨出量を大きくすることができるので、体格の大きい人から小さい人にまでエアバッグをフィットさせることができる。
【００２９】
前記体側施療部は、当該体側施療部の内側部が前記背もたれ部の左右側端面に当接するように配置して、背もたれ部の前面全体を有効に利用できるようにしている。したがって、従前通りの背もたれ部を用いながらも左右の体側施療部間の空間を大きくとることができ、使用者がどのような体格のものであっても、肩部分を含む身体両側部のマッサージをゆったりと行うことができる。特に、肩部分には、「肩ぐう」と呼ばれるツボがあり、使用者は誰でもこのツボを効果的にマッサージすることが可能となる。
【００３０】
前記背もたれ部を構成する背もたれ板の左右端部には、それぞれ立ち上り部を形成することが好ましい。すなわち、この立ち上り部を設けることで背もたれ板の強度が向上し、体側施療部が受ける反力を背もたれ部で確実に受け止めることができる。また、このように強度アップすることで、背もたれ板を樹脂板などで形成することが可能となり、マッサージ機全体の軽量化、さらにはコストダウンを図ることが可能となる。
【００３１】
ところで、前記体側施療部は、当該体側施療部を背もたれ部の背面側に簡単に固定できるように、前記背もたれ部にステイを介して取付けるとよい。
【００３２】
このステイを、体側施療部取付部と背もたれ部側伸延部とからなる略Ｌ字状に形成する一方、前記立ち上り部には前記背もたれ部側伸延部を逃がすための切欠部を形成するとよい。かかる構成とすることにより、前記背もたれ部側伸延部を前記背もたれ部背面に直接当接させた状態でしっかりと連結固定することができる。
【００３３】
また、体側施療部が受ける反力は、このステイを介して背もたれ部側で受けることになるが、背もたれ部には使用者の体重がかかるので、結局は前記反力を使用者が受けることになって、ステイと背もたれ部との連結固定部に強く力が作用することを防止でき、連結部や背もたれ部が傷むことを可及的に防止できる。
【００３４】
また、前記背もたれ板を鋼製のアングル材からなる左右の縦フレームに取付け、しかも、各縦フレームと背もたれ板の前記立ち上り部との間には所定の間隔を設けることが好ましい。かかる構成とすれば、体側施療部が反力を受けた場合のように当該体側施療部が開く方向に力が加わっても略Ｌ字状とした前記ステイが前記空間内で撓み、受けた力を逃がすことができる。したがって、前記縦フレームには力が加わらないことから、このフレームに例えばラックを介して背中用のマッサージユニットを昇降自在に配設した場合、縦フレームが変形するなどのおそれがないので昇降動作に支障をきたしたり、昇降中に異音が発生したりすることを防止できる。
【００３５】
ところで、本実施の形態に係る前記背もたれ部は、使用者が腰掛け可能な前記座部の後部に倒伏自在に取付けている。しかも、前記座部の左右両側に肘掛部を設け、さらに、両肘掛部の手摺体の少なくとも後半部を、前記背もたれ部の倒伏動作に伴う体側施療部の下端部の軌跡と略同一の弧状に形成し、しかも、前記手摺体と体側施療部とが当接しないように構成している。本実施の形態では、肘掛部の上面に設けた手摺体と、体側施療部の下端部とを共にアーチ状に形成し、少なくとも前記手摺体の後半部と体側施療部の下端部とが、最近接した場合でも干渉しない程度に湾曲形成している。
【００３６】
したがって、背もたれ部を立てた場合、倒した場合のいずれであっても肘掛部と体側施療部とが干渉することがなく、また、いずれの場合でも使用者は前記肘掛部を利用でき、楽な姿勢でマッサージが行えるので、椅子式マッサージ機としての価値をより高めることができる。
【００３７】
さらに、体側施療部に注目すると、その下端部が肘掛部と当接しないぎりぎりの位置まで下げることが可能で、その分前記エアバッグも下方まで配置することが可能となり、体側部における被施療部領域を拡大することができ、前記肩ぐうのみならず、身体の体側を広範囲にエアマッサージすることができる。このように、本実施の形態に係るマッサージ機では、体側施療部の耐久性を可及的に高め、かつその機能を十分に発揮できる極めて優れた椅子式マッサージ機となすことができる。
【００３８】
以下、本発明に係るマッサージ機について、図面を参照しながらより具体的に説明する。
【００３９】
図１は本発明に係るマッサージ機を示す斜視図、図２は同側面図、図３は同正面図、図４は同平面図、図５は同使用状態を示す側面視による説明図、図６は同背面カバーを外した状態を示す背面図、図７は同背もたれ部の横断面図、図８は同駆動制御系を示すブロック図である。
【００４０】
図示するように、本実施形態に係るマッサージ機Ａは、使用者Ｍ（図５）が着座する座部１と、同座部１を支持する基台部２と、前記座部１の後側に倒伏自在にリクライニングできるように連結され、左右両側に体側施療部として機能する側壁部６，６を取付けた背もたれ部３と、座部１の前側上部近傍に設けた枢支部１ａを中心に上下方向へ揺動可能に連結した脚載部４とを具備する椅子式マッサージ機としている。なお、各部の表面は合成皮革などからなるカバーにより被覆されているが、各添付図面においてはかかるカバーについて省略して示している。
【００４１】
前記背もたれ部３は、図１、図３、図６及び図７に示すように、縦に伸延する左右の縦フレーム３０，３０の前側に、略中央に所定幅の長孔３１ａを形成した背もたれ板３１を取付け、後側には背面カバー体３２を取付け、この背面カバー体３２と前記背もたれ板３１との間に後述するマッサージユニット配設空間Ｑを形成している。そして、このマッサージユニット配設空間Ｑに、左右の揉み玉７,７を備え、この揉み玉７,７を前記長孔３１ａから臨ませた状態で昇降可能とした機械式マッサージユニット１１を配設している。マッサージユニット１１の昇降は、昇降駆動機構１２（図８参照）の昇降用モータ１４に取付けたピニオン１４ａを前記左右の縦フレーム３０，３０に取付けたラック１３に噛合させて行うように構成している。
【００４２】
また、前記左右の揉み玉７,７は、図８に示すように、揉み玉駆動機構１０によって前後揺動自在、かつ左右揺動自在に取付けており、リモコンなどからなる操作手段３４からの指令信号入力に応じて、揉み、たたき、指圧、ローリング、さすりなどの各種マッサージが行えるように制御部３３により制御されている。
【００４３】
さらに、かかる揉み玉７,７を挟んで、背もたれ部３の左右側上部に背中部用エアバッグａ１，ａ１を、左右側下部に腰部用エアバッグａ２，ａ２をそれぞれ配設し、エアポンプ２５から供給されるエアによって背中を押圧するエアマッサージを実行可能としている。かかるエアバッグａ１，ａ２の作動についても、前記制御部３３により制御されている。
【００４４】
また、図１〜図５に示すように、前記座部１には、その左右側に肘掛部５，５を設けている。この肘掛部５は、その上面に略アーチ状の手摺体５０を取付けている。また、座部１の後部側には臀下部用エアバッグａ４を、前部側には腿部用エアバッグａ５を、左右側には臀側部用エアバッグａ６をそれぞれ取付けている。
【００４５】
前記脚載部４は、左右の脚を受ける半円筒状の左右脚受部１８，１８を並設した本体部１５と、同本体部１５の先端に連設するとともに左右の足裏を受ける半円筒状の左右足裏受１６，１６を並設した足裏受部１７とから側面視略L字状に形成しており、前記本体部１５の各脚受部１８，１８の両内側面に左右で対をなす脚上部用エアバッグａ７，ａ７，ａ７，ａ７を取付けるとともに、前記足裏受部１７の各足裏受１６，１６の両内側面に左右で対をなす脚下部用エアバッグａ８，ａ８，ａ８，ａ８を取付けている。
【００４６】
図９は背もたれ部３の説明図、図１０は体側施療部として機能する側壁部６の説明図である。
【００４７】
左右側壁部６,６は、図１〜図７及び図８、図９に示すように、前記背もたれ部３側をなす基端部側の上下長よりも先端部側の上下長を長くした略扇形形状としており、座部１に着座した使用者Ｍの上腕側方となる位置に配設している。
【００４８】
そして、図７に示すように、前記基端部側から先端部側にかけて漸次外側方に拡開させており、その内側面には、それぞれ左右方向に２個の体側部用エアバッグａ３，ａ３を重合状態に取付けて体側施療部として機能させている。したがって、かかる２個の体側部用エアバッグａ３，ａ３を同時に膨出させると使用者Ｍの身体に素早くフィットして身体の体側をマッサージあるいは押圧保持することができる。
【００４９】
この体側部用エアバッグａ３を含む前記複数のエアバッグａ１〜ａ８は、エアポンプ２５から給気される（図８）。エアポンプ２５には、同エアポンプ２５から圧入される大気を一時的に貯留して各エアバッグａ１〜ａ８へ分流する分流器（図示せず）を連通連結している。そして、この分流器には、各エアバッグａ１〜ａ８に対応する複数の吐気口が設けられ、各吐気口には同吐気口の開口を開閉する電磁弁Ｂ１〜Ｂ１８（図８）を設けている。そして、分流器の各吐気口と対応するエアバッグａ１〜ａ８とを図示しない耐圧ホースによってそれぞれ連結し、前記電磁弁Ｂ１〜Ｂ１８の開閉動作を制御部３３により制御して所要のエアバッグａ１〜ａ８を個別に給排気し、エアバッグａ１〜ａ８を膨張（膨出）・収縮させることにより、使用者Ｍに対してエアマッサージを施すように構成している。なお、電磁弁Ｂ１〜Ｂ１８の開閉動作によってエアバッグａ１〜ａ８を膨張（膨出）・収縮させることができる一方、エアバッグａ１〜ａ８を膨張状態（膨出状態）に保持することもできる。
【００５０】
このように、エアバッグａ１〜ａ８についても、前記揉み玉７,７などの作動は、マッサージ機Ａ内に設けられた制御部３３によって制御されている。すなわち、制御部３３は、揉み玉７,７の動作に関わる揉み玉駆動機構１０やマッサージユニット１１の昇降駆動機構１２を駆動制御して、揉み玉７,７による機械的マッサージを実行させるとともに、エアバッグａ１〜ａ８の膨縮に関わるエアポンプ２５のオン・オフ動作や各エアバッグａ１〜ａ８に対して給排気を行うための電磁弁Ｂ１〜Ｂ１８の開閉動作を制御して、所要のエアバッグａ１〜ａ８を膨張（膨出）・収縮させてエアマッサージを実行させるのである。
【００５１】
図８に示すように、上記制御部３３には、マッサージの種類や強度の選択機能を備えるリモートコントローラ等の操作手段３４から、選択された種類及び強度のマッサージ実行指令が与えられるようになっている。この操作手段３４により、機械的マッサージやエアマッサージを別々に実施させるマッサージ以外に、機械的マッサージとエアマッサージとを複合させた自動マッサージコースなども選択し得るようになっており、制御部３３は前記操作手段３４から所定のマッサージあるいはマッサージコースを実施する指令が与えられた場合、与えられた指令に基づいて前記揉み玉駆動機構１０及び昇降駆動機構１２の駆動動作、及び各電磁弁Ｂ１〜Ｂ１８の開閉動作を制御する。
【００５２】
ここで、本発明の要部となる前記側壁部６の背もたれ部３に対する取付構造について詳述する。
【００５３】
本実施の形態において特徴となるのは、以下に説明する構成にある。
【００５４】
すなわち、図１〜図７に示すように、側壁部６は、その内側部が前記背もたれ部３の左右側端面に当接するように配置されている。
【００５５】
かかる構成とするために、本実施の形態では、図７及び図９に示すように、前記背もたれ板３１における前記側壁部６の側をなす端部に立ち上り部３５を形成して強度を向上させるとともに、鋼製のアングル材からなる前記左右の縦フレーム３０，３０に取付け、しかも、各縦フレーム３０と背もたれ板３１の前記立ち上り部との間には所定の間隔Ｄを設けている。
【００５６】
そして、前記側壁部６と背もたれ板３１とを、体側施療部取付部４０ａと背もたれ部側伸延部４０ｂとからなる略Ｌ字状に形成したステイ４０を用いて連結している。すなわち、前記側壁部６を前記体側施療部取付部４０ａに連結する（図１０参照）一方、背もたれ部側伸延部４０ｂを前記背もたれ板３１の裏面に連結固定している。図７中、４１は側壁連結用ボルト、４２は背もたれ板連結用ビス、１４ｂはマッサージユニット１１の昇降案内用のガイドローラであり、縦フレーム３０に沿って転動可能としている。また、図１０中、６１はエアバッグａ３と給排気用の前記耐圧ホース（図示せず）とを連結する連結口である。
【００５７】
このように、前記背もたれ板３１に立ち上り部３５を形成したことから強度が向上し、背もたれ部３の全体としても十分な強度を有している。
【００５８】
また、上述した構成により、前記側壁部６のエアバッグａ３を膨張させて使用者Ｍの体側を押圧した場合、そのときに側壁部６が受ける反力は、前記ステイ４０を介して前記背もたれ板３１にかかることになるが、この背もたれ板３１には使用者Ｍの体重がかかるので、結果的には使用者Ｍが受け止めることになって、樹脂製の背もたれ板３１であっても前記側壁部６との連結部分に特に大きな負荷がかかることがない。
【００５９】
また、側壁部６が反力を受けた場合のように当該側壁部６が外側へ開く方向に力が加わったとしても、略Ｌ字状とした前記ステイ４０が前記間隔Ｄ内で撓み、受けた力を逃がすことができる。したがって、前記縦フレーム３０，３０には力が加わらず、縦フレーム３０，３０が変形するおそれもないので、この縦フレーム３０，３０に取付けた前記ラック１３を介して昇降自在に配設した前記マッサージユニット１１の昇降動作に支障をきたしたり、昇降中に異音が発生したりすることも防止できる。
【００６０】
また、上述の構成とすることで、背もたれ板３１を樹脂製とすることが可能であり、さらに前記背面カバー体３２についても同様な樹脂製とすることによってマッサージ機Ａ全体の軽量化を図るとともに、コストダウンを図ることができる。
【００６１】
ところで、前記立ち上り部３５には前記ステイ４０の背もたれ部側伸延部４０ｂを逃がすための切欠部３５ａを形成している。したがって、この切欠部３５ａを介して前記背もたれ部側伸延部４０ｂを前記背もたれ板３１の背面に直接当接させることができ、ステイ４０を背もたれ板３１に対してしっかりと連結固定することができる。
【００６２】
また、側壁部６と背もたれ部３との連結構造を上述のようにしたことで、側壁部６の内側部が前記背もたれ部３の左右側端面に当接するように配置されることになり、背もたれ部３の前面、すなわち使用者Ｍの背中受け面を狭めることなく、面全体を有効に利用することができる。したがって、使用者Ｍがどのような体格のものであっても、肩部分を含む身体両側部のマッサージをゆったりと行うことができる。特に、肩部分には、「肩ぐう」と呼ばれるツボがあるので、使用者Ｍは誰でもこのツボを効果的にマッサージすることが可能となる。
【００６３】
ところで、本実施の形態に係る前記背もたれ部３は、図２及び図５に示すように、前記座部１の後部に倒伏自在に取付けられており、しかも、前記座部１の左右両側には肘掛部５が設けられている。
【００６４】
かかる構成において、図５に示すように、両肘掛部５に設けた前記手摺体５０の少なくとも後半部５０ａについては、前記背もたれ部３の倒伏動作に伴う側壁部６の下端部６ａの軌跡と略同一の弧状に形成し、しかも、前記手摺体５０と側壁部６とが当接しないように構成したことも特徴の一つである。
【００６５】
本実施の形態では、前記手摺体５０を湾曲したアーチ状に形成するとともに、側壁部６の下端部６ａについても湾曲形成して、前記手摺体５０の後半部と側壁部６の下端部６ａとが最接近しても干渉することがないようにしている。
【００６６】
したがって、背もたれ部３を立てた場合、倒した場合のいずれであっても手摺体５０と側壁部６とが干渉することはなく、また、いずれの場合でも使用者Ｍは前記肘掛部５を利用できることから楽な姿勢でマッサージを行える。すなわち、使用者Ｍは座している場合でも寝ている状態でも、腕を肘掛部５に乗せたり、手を手摺部５０上に置いてゆったりとマッサージが行えるのである。
【００６７】
より具体的にいえば、本実施の形態では、図２に示すように、前記背もたれ部３の倒伏動作に伴う側壁部６の下端部６ａの軌跡Ｌと前記手摺体５０との間に、所定の範囲を超すことがない程度の間隔を保持できるようにして、決して両者が当接しないようにしている。
【００６８】
また、当接しないばかりでなく、背もたれ部３を起立させたときが最接近するが、この最接近したときの間隔ｄ１＝１８ｍｍとする一方、背もたれ部３を倒したときに最も広がるときの間隔ｄ２＝３０ｍｍとしている。ここで、間隔としての１８〜３０ｍｍという範囲は、標準的な成人の手の厚みに相当するものであり、背もたれ部３をリクライニング動作したときに、前記手摺体５０と側壁部６の下端部６ａとの間隔ｄが、手の厚みに相当する範囲内でのみ変移するようにしているのである。
【００６９】
したがって、前記間隔ｄが狭すぎて手を挟んでしまい、手を傷めるおそれを防止するとともに、間隔ｄが広すぎて、例えば子供などが誤って首などを挟んでしまうおそれを未然に防止している。
【００７０】
さらに、本実施の形態では、図３及び図４に示すように、前記側壁部６の底面部の横幅と前記手摺体５０の横幅とが、略同じ領域Ｅ内に収まるように前記側壁部６と前記手摺体５０とを対向して配設している。
【００７１】
これは、前記手摺体５０と側壁部６の下端部６ａとの前記間隔ｄを、前述したように標準的な手の厚みよりも狭くなることがないようにしているとはいえ、あくまでも標準的な手の厚みであるので、使用者Ｍによっては挟圧力を受けることも考えられる。そのときに上記構成とすれば、使用者Ｍの手は側壁部６の底面部と手摺体５０の表面との間でサンドイッチ状態になるだけであり、面同士による押圧力のみを受けるだけで済む（場合によっては押圧力によるマッサージを受ける程度）。しかし、例えば前記側壁部６の底面部や前記手摺体５０の一方が前記領域Ｅ外へはみ出していた場合、前記側壁部６の底面部や前記手摺体５０の端縁による押圧を受け、挟まれた手にせん断方向の力まで作用するおそれがあり、これは極めて不快な痛みとなってしまうことがありうる。
【００７２】
このように、本実施の形態に係るマッサージ機Ａでは、使用者Ｍは座している場合でも寝ている状態でも、手を肘掛部５に乗せてゆったりと楽な姿勢でマッサージが行えるのみならず、安全面においても優れた構成となっている。
【００７３】
さらに、上記構成によれば、前記側壁部６は、その下端部６ａが肘掛部５と当接しないぎりぎりの位置まで下げた配置とすることが可能となるので、その分前記エアバッグａ３，ａ３も下方まで配置することが可能となり、使用者Ｍの体側部における被施療部領域を拡大することができ、前記肩ぐうのみならず、身体の体側を広範囲にエアマッサージすることができる。
【００７４】
このように、本マッサージ機Ａでは、椅子式マッサージ機としての価値をより高めることができる。
【００７５】
図１１に背もたれ板３１と側壁部６との連結構造の変形例を示している。
【００７６】
この例では、背もたれ板３１をブロー成形して立ち上り部３５についてもある程度の厚みをもたせてより強度を向上させている。そして、ステイ４０を配設するために、立ち上がり部３５にはスリット３５ｂを形成し、このスリット３５ｂに背もたれ部側伸延部４０ｂを挿通し、前記背もたれ板３１と連結している。
【００７７】
この例においては、先の例で説明した立ち上り部３５に厚みを加えるとともに、比較的大きな切欠部３５ａに代えてスリット３５ｂとしていることから、背もたれ部３の強度をより向上させることができる。
【００７８】
また、本実施の形態におけるマッサージ機Ａは、前記操作手段３４から自動マッサージコースを選択してマッサージすることができ、しかも、自動マッサージコースを実施している最中に、自分の好みに合わないマッサージモードであればこれをスキップしたり、あるいは気に入ったマッサージモードであればこれをリピートするこことが可能となっている。
【００７９】
すなわち、本実施の形態に係るマッサージ機Ａは、前記各エアバッグａ1〜ａ８の膨収縮及びマッサージユニット１１に設けた揉み玉７,７の動き、またこの揉み玉７,７に設けたバイブレータの動作によって、指圧、揉み、たたき、バイブレーションによる複数種類のマッサージを実行できるとともに、前記マッサージユニット１１を上下に適宜の速度で移動させたり、前後に移動させてマッサージの強弱を変えたりすることによって多様なマッサージモードを創出することがでる。そして、これら各モードを実行するショートプログラムを適宜組合わせた複数の自動コースがマッサージプログラムとして前記制御部３３のメモリー５３に予め格納されている。なお、各自動コースは、最長でも１５分で終了するようにプログラムされている。
【００８０】
そして、これらの自動コースから使用者Ｍが好みに応じて適宜選択し、選択した自動コースをマッサージプログラムに沿って実施している途中で、使用者Ｍは前記操作手段３４に設けたスキップボタン５１、あるいはリピートボタン５２（図８）を操作することによって適宜各モードを飛ばして次のマッサージモードに移行させたり、気に入ったモードであればこれを一定時間繰り返し実行させることができるのである。
【００８１】
したがって、使用者Ｍは、自分の好みに合わないマッサージを嫌々ながら行う必要もなく、好みに合ったマッサージであれば予め設定された時間よりも長い時間で施療することが可能となり、より快適なマッサージを受けることが可能となる。
【００８２】
なお、自動コースを実施中に所定のマッサージモードをスキップしたり、リピートしたりした場合、これをマッサージプログラムに反映させることも可能である。すなわち、次に同じ自動コースを実施した場合、前回スキップされたマッサージモードを実行するショートプログラムはマッサージプログラムから消去され、前回リピートされたマッサージモードは、これを所定時間繰り返して実行するようにショートプログラムが更新されるようにすることもできる。あるいは、予め設定された自動コースはそのまま保存し、前述したようにスキップやリピートがなされた内容を新たな自動コースとして前記制御部３３内に登録されるようにしておくこともできる。
【００８３】
前記したショートプログラムは、例えば各エアバッグａ１〜ａ８の膨収縮動作、及び揉み玉７,７の動作種類、動作速度、動作時間、上下・前後位置などをマッサージモードの構成要素としており、このショートプログラムを集合して一つのマッサージプログラムが構成される。
【００８４】
例えば、腰から肩にかけての所定強さによる揉みマッサージを実行する揉みモード用のショートプログラムや、肩から背中にかけての所定強さのたたきマッサージを実行するたたきモード用のショートプログラム、あるいは、腰のみについて所定強さの指圧マッサージを実行する指圧モード用のショートプログラムといった多数の異なったショートプログラムを組合わせて自動コースが構成される。
【００８５】
したがって、本実施の形態におけるマッサージモードのスキップやリピートは、前記ショートプログラムをスキップさせたりリピートさせたりすることで容易に実現できるのである。
【００８６】
このとき、スキップがなされたこと、あるいはリピートがなされたことを、図１２及び図１３に示すような表示画面Ｂ上で表示可能としている。なお、表示画面Ｂにおいては、自動コース実行中は実行されているマッサージモードの種類や施療位置などが視覚的に分かりやすく文字表示あるいは図柄を用いて表示されている。すなわち、図９及び図１０に示すように、表示画面Ｂにはコース表示（例えば「全身」、「肩」、「腰」、「脚」など）、現在行われているマッサージモード、現在実行している自動コースのマッサージ残り時間、現在行われているマッサージモードの次に行われるマッサージモード、マッサージ強度、エアマッサージやバイブマッサージに関する項目などが文字表示されるとともに、人体をかたどってエアバッグａ１〜ａ８の動作状態やマッサージユニット１１の現在位置を画像表示可能としている。
【００８７】
特に、次に行われるマッサージモードが視認できるので、次のマッサージモードが使用者Ｍの好みである場合などに現在実行中のマッサージモードをスキップするか否かの判断を下しやすい。
【００８８】
なお、表示画面Ｂとしては、例えば前記操作手段３４として設けたリモコン上に液晶表示装置を設けて構成することができる。あるいは、別途大型の表示画面を設けてもよい。また、表示手段としては液晶表示装置に限るものではない。
【００８９】
本実施の形態において、例えば所定の自動コースを実行している際に、「たたき」のマッサージモードが実行された場合、使用者Ｍがこの「たたき」を嫌だと感じたなら、操作手段３４のスキップボタン５１を操作すると、図１２（ａ）に示す「たたき」のマッサージモードを示す定常表示画面から図１２（ｂ）に示すように、前記定常表示画面で「たたき」が表示されていた位置に「スキップ中」の表示がなされ、この間にマッサージユニット１１は強度として「弱」の位置、あるいは揉み玉７,７が背中に軽く接する程度の「さすりモード」の位置に移動して次のショートプログラム（ここでは「揉み上げ」）に備えるようにしている。
【００９０】
揉み玉７,７が使用者Ｍの背中に当接した状態で上下移動しながらたたきなどを行う「ローリングたたき」などのようにローリングを伴うマッサージモードがあるが、この場合にスキップ操作が行われた場合についても、マッサージユニット１１は「弱」の位置、あるいは前記「さすりモード」の位置に後退して移動して次のマッサージに備えるようにしている。もともとマッサージユニット１１は上下移動しながらのローリングをしているので、次のマッサージモードで指定される施療個所への移動もスムーズに行われ、使用者Ｍは、少なくとも「ローリングたたき」というマッサージを強く体感することなく、次のマッサージモードを楽しむことができる。なお、前記操作手段３４のスキップボタン５１は、現在スキップ動作中であれば、使用者Ｍからのボタン操作を受け付けないようにしている。
【００９１】
一方、リピート操作がなされた場合は、現在実行されているマッサージモードを一定時間繰り返すのであるが、本実施の形態では、繰り返し時間を６０秒に設定している。
【００９２】
例えば所定の自動コースを実行している際に、「たたき」のマッサージモードが実行された場合、使用者Ｍがこの「たたき」を気に入って操作手段３４のリピートボタン５２を操作すると、図１３（ａ）に示す「たたき」のマッサージモードを示す定常表示画面から図１３（ｂ）に示すように、前記定常表示画面で「たたき」が表示されていた位置に「リピート中」の表示がなされ、この操作したときから６０秒間「たたき」が延長される。したがって、使用者Ｍからは自分の操作によって再度「たたき」が繰り返されて行われているように感じるのである。この「たたき」をさらに繰り返したい場合は、この「たたき」を実行中に使用者Ｍは再度リピートボタン５２を操作すればよい。その時点から再度６０秒の「たたき」が実行され、使用者Ｍはこころゆくまで自分の好みのマッサージモードを楽しむことができる。
【００９３】
このリピート操作によるマッサージモードの実行時間の変化を図１４に示す。例えば自動コース中に「たたき」が予め１５秒間設定されていたときに（図１４（ａ））、「たたき」のマッサージ動作が開始されて１０秒後にリピートボタン５２を操作すると、制御部３３はその操作タイミングから６０秒間再度「たたき」を行うように制御する（図１４（ｂ））。つまり、使用者Ｍは「たたき」によるマッサージを７０秒間受けることができるようになる。そして、先のリピート操作から４０秒後、すなわち、最初に「たたき」マッサージが開始されてから５０秒後に再度リピートボタン５２を操作すると、その時点から６０秒間の「たたき」が始まるようにしている（図１４（ｃ））。つまり、使用者Ｍは１１０秒間の「たたき」マッサージを楽しむことができるのである。
【００９４】
また、必ずしも１１０秒間の「たたき」マッサージを実行させる必要はなく、いつでも前述したスキップボタン５１によるスキップ操作を行って、次のマッサージモードへ移行させることも可能である。
【００９５】
また、リピートにより一つの自動コース中の所定のマッサージモードの実行時間が実質的に延長されることになるが、自動コース全体として設定された１５分のマッサージ時間は変わることはなく、例えば自動コースのプログラム中、最後あるいは最後近くに設定されていたショートプログラムが省略されることになる。
【００９６】
また、このリピート操作が前述したローリングを伴うマッサージを実行しているときに行われた場合、やはりリピートは有効であり前述したように６０秒間繰り返す。そして、６０秒経過したときのマッサージユニット１１の位置が、次のショートプログラムで指定される位置とは異なっている場合、リピート中のローリングを伴うマッサージを継続して所定位置までローリングしながら移動するようにしている。リピート操作するほど現在のマッサージを使用者Ｍは気に入っていると判断されるので、少々マッサージ時間が延長方向にずれたとしても問題はない。
【００９７】
なお、ローリングを伴うマッサージのリピートでは、時間（本実施の形態では６０秒）を再設定するのではなく、リピート操作が行われるとローリングの初期位置に戻り、その初期位置から終了位置までの往復動作を所定回数繰り返すようにしてもよい。
【００９８】
ところで、上述した自動コースを使用者Ｍが選択した場合に、本マッサージ機Ａでは、使用者Ｍに対して最適なマッサージを実行できるように、使用者Ｍが自分の肩位置を調節できるようにした肩位置調節機能を備えている。
【００９９】
従来、肩位置調節機能を備えているマッサージ機は存在するが、これらは揉み玉７,７をそれぞれ円運動させる「揉み」マッサージを行いながら行うようになっているのに対して、本実施の形態に係るマッサージ機Ａでは、指圧マッサージを行いながら肩位置調節を可能としている。
【０１００】
本実施の形態では、遊技者Ｍは先ずマッサージユニット１１を肩近傍の適宜位置に移動させ、操作手段３４に設けた肩位置調節ボタン（図示せず）を操作する。この操作によって、マッサージユニット１１が駆動し、図１５に示すように、揉み玉７,７自体は円弧を描くような動作は行わず、直進動作だけの「指圧」マッサージを行いながら操作に応じて昇降する。
【０１０１】
上述のように肩位置調節するために、本実施の形態では、マッサージ中における揉み玉７,７の上下位置座標を検出する座標検出手段と、同座標検出手段からのデータを記憶する記憶手段とを備える構成としている。
【０１０２】
すなわち、使用者Ｍがマッサージユニット１１を所定位置に移動させるように操作手段３４を操作すると、マッサージユニット１１に設けられた昇降駆動機構１２が備える昇降用モータ１４が駆動して、マッサージユニット１１を移動させる。そして、使用者Ｍが前記肩位置調節ボタンを操作すると、前記昇降用モータ１４が駆動してマッサージユニット１１を所定範囲で昇降（矢印ｆ１）させるとともに、図示しない進退用モータが駆動して揉み玉７,７を前後に進退させて（矢印ｆ２）指圧マッサージを行う（図１５参照）。
【０１０３】
このとき、揉み玉７,７が背中に当たったときの感触から、使用者Ｍは自分にとって最適と思われる肩位置に揉み玉７,７がきたときに操作手段３４によりマッサージユニット１１の駆動をストップする。
【０１０４】
このストップ時において、前記座標検出手段により座標換算したデータをメモリー５３に記憶し、マッサージ機Ａは、この位置を使用者Ｍの最適肩位置として基準となし、この基準位置に基づいて、その後の自動コースにより各マッサージモードが行われる。
【０１０５】
また、本マッサージ機に、使用者Ｍの体形を検出する体形検出機能を付与しておくことができる。
【０１０６】
これは、体形検出手段として、上記座標検出手段及び記憶手段のほか、マッサージ中における負荷電流を検出する負荷電流検出手段を設けておくもので、前記昇降用モータ１４を駆動して、マッサージユニット１１を先ず使用者Ｍの腰位置である最下端位置に降下させるとともに、進退用モータを駆動して揉み玉７,７を最後方位置に後退させる。そして、その位置で前記進退用モータを駆動して揉み玉７,７を使用者Ｍの背中に向けて突出させていき、背中に当たったときの前記進退用モータの負荷電流の増加を前記負荷電流検出手段により検出して前記記憶手段に記憶する。具体的には、進退用駆動量検出手段としてマッサージユニット１１にロータリーエンコーダを設け、このロータリーエンコーダの検出出力を制御部３３を介して前記座標検出手段により座標換算し、腰位置として記憶手段に記憶する。
【０１０７】
その後、さらに前記進退用モータを駆動して揉み玉７,７を最後方位置まで後方に向けて移動するとともに、前記昇降用モータ１４を駆動して、昇降用駆動量検出手段としてこれも前記マッサージユニット１１内に設けたロータリーエンコーダの検出に基づいて所定距離だけマッサージユニット１１を上昇させ、上述同様に、その位置で進退用モータを駆動して揉み玉７,７を前方に向けて移動する。このような動作を使用者Ｍの肩位置まで繰り返し行うことによって、使用者Ｍの肩の高さや幅、背中の形状等といった使用者Ｍの体形を検出することができる。
【０１０８】
このような体形検出機能を有している場合、前述した肩位置調整を行う際に、前記体形検出結果から揉み玉７,７を自動的に最適な位置にセットしておくことができるため、揉み玉７,７が昇降しても揉み玉７,７の使用者Ｍへの当接力が強すぎたりすることがなく、肩位置調整を快適に行うことができる。
【０１０９】
また、上述したように、最適肩位置は指圧マッサージを行いながら決定するようにしているので、指圧マッサージを行う場合は使用者Ｍにとって確かに最適肩位置とみなすことができるが、例えば揉みマッサージのように、マッサージユニット１１の昇降は停止していても揉み玉７,７が回転駆動するような場合は、同じ使用者Ｍであっても最適肩位置が異なる場合が考えられる。
【０１１０】
そこで、各種のマッサージモードごとに予め補正値を定めておき、使用者Ｍがマッサージモードを選択するたびに最適肩位置を補正できるようにしておくことができる。すなわち、使用者Ｍが肩位置調整を行ったときに記憶された揉み玉７,７の上下位置座標データに対して、選択されるマッサージモードに応じて所定値分自動補正するのである。
【０１１１】
かかる補正機能を備えたマッサージ機Ａであれば、いかなるマッサージモードを使用者Ｍが選択しようとも、常に使用者Ｍにとって快適なマッサージが可能となる。
【図面の簡単な説明】
【０１１２】
【図１】本発明に係るマッサージ機を示す斜視図である。
【図２】同側面図である。
【図３】同正面図である。
【図４】同平面図である。
【図５】同使用状態を示す側面視による説明図である。
【図６】同背面カバーを外した状態を示す背面図である。
【図７】同背もたれ部の一部を省略した横断面図である。
【図８】同駆動制御系を示すブロック図である。
【図９】背もたれ部の説明図である。
【図１０】側壁部の説明図である。
【図１１】側壁部と背もたれ部との連結構造の変形例を示す説明図である。
【図１２】表示画面を示す説明図である。
【図１３】表示画面を示す説明図である。
【図１４】リピート動作中のマッサージ時間の変化を示す説明図である。
【図１５】肩位置調節動作を示す説明図である。
【符号の説明】
【０１１３】
Ａ  マッサージ機
Ｍ  使用者
１  座部
２  基台部
３  背もたれ部
４  脚載部
５  肘掛部
６  側壁部
７  揉み玉
１１  マッサージユニット
３０  縦フレーム
３１  背もたれ板
３５  立ち上り部
４０  ステイ
【図１】
0004664007.tif 000002
【図２】
0004664007.tif 000003
【図３】
0004664007.tif 000004
【図４】
0004664007.tif 000005
【図５】
0004664007.tif 000006
【図６】
0004664007.tif 000007
【図７】
0004664007.tif 000008
【図８】
0004664007.tif 000009
【図９】
0004664007.tif 000010
【図１０】
0004664007.tif 000011
【図１１】
0004664007.tif 000012
【図１２】
0004664007.tif 000013
【図１３】
0004664007.tif 000014
【図１４】
0004664007.tif 000015
【図１５】
0004664007.tif 000016